(57)【要約】【課題】ライトガイドを、ファインダユニットとして構成でき、しかも、小型化が図れるようにする。【解決手段】光ガイド装置４０は、照明用のＬＥＤ３０１から表示パネル１０に光を導く装置であり、ライトガイド４０１，４０２を備えており、このライトガイド４０１，４０２は、光源の光を表示パネル１０の表示面に直交する方向に導く導光部と、表示パネルの入射部に光を出射する射出部４０１ｄ，４０２ｄと、導光部で導かれた光を出射部に反射する反射部４０１ｃ，４０２ｃとを備えている。【選択図】図４
2011014544.tif 000002
【特許請求の範囲】
【請求項１】
光を拡散する拡散状態と光を透過する透過状態とを切り替える液晶層を封入した複数の表示セグメントを有する表示パネルと、
前記表示パネルの複数の表示セグメントのうちの少なくとも１つの表示セグメントを選択する選択部と、
前記選択部により選択された表示セグメントを前記拡散状態にするとともに、選択されていない表示セグメントを前記透過状態に駆動する駆動回路と、
前記表示パネルを照明する光を発光部から発生する光源と、
前記光源からの光をガイドする光ガイド部材を有し、前記光源からの光を前記液晶パネルに導く光ガイド装置と、
を備える液晶表示照明装置において、
前記光ガイド部材は、前記光源の光を前記表示パネルの表示面に直交する方向に導く導光部と、
前記表示パネルの入射部に光を出射する射出部と、
前記導光部で導かれた光を前記出射部に反射する反射部とを備えたこと、
を特徴とする液晶表示照明装置。
【請求項２】
請求項１に記載の液晶表示照明装置において、
前記光ガイド部材は、前記導光部の光の進行方向の両端面が放物線面形状であること、
を特徴とする液晶表示照明装置。
【請求項３】
請求項１に記載の液晶表示照明装置において、
前記光ガイド部材は、前記射出部が前記表示パネルの厚さと略同一の寸法であること、
を特徴とする液晶表示照明装置。
【請求項４】
請求項１に記載の液晶表示照明装置において、
前記表示パネルは、その入射部の端面に電極が設けられ、
前記光ガイド部材は、前記出射部の実質的な光を射出する範囲が、前記表示パネルの電極と回路基板とを接続する電導部材により制限されること、
を特徴とする液晶表示照明装置。
【請求項５】
請求項１に記載の液晶表示照明装置において、
前記表示パネルは、光学的な像を結像するレンズ光軸に平行に配置されており、その入射部は、前記光ガイド部材の出射部から射出した光を、前記レンズ光軸と平行な方向の端面から入射すること、
を特徴とする液晶表示照明装置。
【請求項６】
請求項１に記載の液晶表示照明装置において、
前記表示パネルは、光学的な像を結像するレンズ光軸に平行に配置されており、前記光ガイド部材は、前記表示パネルの前記レンズ光軸と平行な方向の端面の近傍に配置されること、
を特徴とする液晶表示照明装置。
【請求項７】
請求項１に記載の液晶表示照明装置において、
前記表示パネルは、光の入射しない端面に遮光部が形成されていること、
を特徴とする液晶表示照明装置。
【発明の詳細な説明】
【技術分野】
【０００１】
本発明は、光学的な像の上に必要な情報を重ね合わせて表示させることのできる透過型の液晶パネルを照明する液晶表示照明装置に関し、特に、カメラのファインダ装置のスーパーインポーズ表示等に好適に使用できる液晶表示照明装置に関するものである。
【背景技術】
【０００２】
液晶パネルは、光学的な像の上に必要な情報を重ね合わせて表示させることのできる透過型の表示装置であり、例えば、高分子分散型液晶を用いたものがカメラのファインダ装置に用いられている。この液晶パネルは、２枚の透明電極付き透明基板間に、高分子分散型液晶を封入した液晶層を有する複数の表示セグメントからなるパネルである。この高分子分散型液晶は、その液晶層にかける電界を制御することによって、光を透過する透過状態と、光を拡散する拡散状態の２つのモードを使い分けて表示するものである。
【０００３】
この液晶パネルを駆動すると、電界をかけた表示セグメントは、光を透過させ、電界をかけていない表示セグメントは、光を拡散（散乱）させる。これにより、外景などの光学的な像が明るいときには、表示セグメントが暗く見え、一方、像が暗いときには、液晶層を照明することによって、表示セグメントが明るく見えるようにすることができる。
【０００４】
一方、ペンタプリズムと焦点板との間にゲストホスト型液晶表示板を配置するファインダ装置の構造が特許文献１に開示されている。この公報には、ファインダ画像に重ねて表示を行う表示体を、ファインダ光学系の光路中に設けるカメラのファインダ装置において、上記表示体を保持する第一支持体と、上記第一支持体と結合するとともに、ペンタプリズムを保持する第二支持体とを備え、第一支持体及び第二支持体は、結合状態で互いの間のスペースに、表示体を保持する構造が開示されている。
【０００５】
【特許文献１】特開平４−３４５１５０号公報
【発明の概要】
【発明が解決しようとする課題】
【０００６】
ところが、上記公報の構造を利用して、高分子分散型液晶の表示パネルを照明するための装置を配置しようすると、第一支持体の外に照明装置が飛び出してしまう。第一支持体は、カメラの前ボディに保持されるのが通常であるので、照明装置がカメラの前ボディと干渉してしまって、組み込みが困難となる。
【０００７】
この問題を解決するために、組み込み順序の工夫により、カメラの前ボディへ第一支持体を組み込んだ後に、照明装置を組み込むことも考えられるが、照明装置がファインダユニットと一体でなくなるために、組立性の観点から好ましくない。
【０００８】
本発明の目的は、上記課題を解決して、小型でファインダユニットと一体化が可能な液晶表示照明装置を提供することである。
【課題を解決するための手段】
【０００９】
前記課題を解決するために、請求項１の発明は、光を拡散する拡散状態と光を透過する透過状態とを切り替える液晶層を封入した複数の表示セグメントを有する表示パネルと、前記表示パネルの複数の表示セグメントのうちの少なくとも１つの表示セグメントを選択する選択部と、前記選択部により選択された表示セグメントを前記拡散状態にするとともに、選択されていない表示セグメントを前記透過状態に駆動する駆動回路と、前記表示パネルを照明する光を発光部から発生する光源と、前記光源からの光をガイドする光ガイド部材を有し、前記光源からの光を前記液晶パネルに導く光ガイド装置と、を備える液晶表示照明装置において、前記光ガイド部材は、前記光源の光を前記表示パネルの表示面に直交する方向に導く導光部と、前記表示パネルの入射部に光を出射する射出部と、前記導光部で導かれた光を前記出射部に反射する反射部とを備えたこと、を特徴とする液晶表示照明装置である。
【００１０】
請求項２の発明は、請求項１に記載の液晶表示照明装置において、前記光ガイド部材は、前記導光部の光の進行方向の両端面が放物線面形状であること、を特徴とする液晶表示照明装置である。
【００１１】
請求項３の発明は、請求項１に記載の液晶表示照明装置において、前記光ガイド部材は、前記射出部が前記表示パネルの厚さと略同一の寸法であること、を特徴とする液晶表示照明装置である。
【００１２】
請求項４の発明は、請求項１に記載の液晶表示照明装置において、前記表示パネルは、その入射部の端面に電極が設けられ、前記光ガイド部材は、前記出射部の実質的な光を射出する範囲が、前記表示パネルの電極と回路基板とを接続する電導部材により制限されること、を特徴とする液晶表示照明装置である。
【００１３】
請求項５の発明は、請求項１に記載の液晶表示照明装置において、前記表示パネルは、光学的な像を結像するレンズ光軸に平行に配置されており、その入射部は、前記光ガイド部材の出射部から射出した光を、前記レンズ光軸と平行な方向の端面から入射すること、を特徴とする液晶表示照明装置である。
請求項６の発明は、請求項１に記載の液晶表示照明装置において、前記表示パネルは、光学的な像を結像するレンズ光軸に平行に配置されており、前記光ガイド部材は、前記表示パネルの前記レンズ光軸と平行な方向の端面の近傍に配置されること、を特徴とする液晶表示照明装置である。
請求項７の発明は、請求項１に記載の液晶表示照明装置において、前記表示パネルは、光の入射しない端面に遮光部が形成されていること、を特徴とする液晶表示照明装置である。
【発明の効果】
【００１４】
以上説明したように、表示パネルのセグメントを照明する装置において、光源からの光を案内するライトガイド部材に反射面を設けて、光源からの光を反射面で反射させて、表示パネルの端面から入射させるようにしたので、ライトガイドを、ファインダユニットとして構成でき、しかも、小型化が図れる、という効果がある。
【図面の簡単な説明】
【００１５】
【図１】本発明の実施形態による液晶表示照明装置を組み込んだ一眼レフカメラの構造を概念的に説明する図である。
【図２】本実施形態による一眼レフカメラを示す斜視図である。
【図３】本実施形態による一眼レフカメラのペンタプリズムを光軸に直交する面でそのほぼ中央を切断した斜視図である。
【図４】図１の光源３０からの光を表示パネル１０の端面１０ａに導く光ガイド装置４０とその保持構造を示す斜視図である。
【図５】ペンタプリズム５を光軸に直交する面でそのほぼ中央を切断して示す断面図である。
【図６】図５におけるライトガイド４０１周辺の拡大図である。
【図７】図５におけるライトガイド４０２周辺の拡大図である。
【図８】本実施形態による液晶表示照明装置のセレクタ５０を示す図である。
【図９】図８に示したフォーカスエリアセレクタ５０１によって、中央のセグメント１０１が選択された状態を示したものである。
【図１０】本実施形態による液晶表示照明装置のＣＰＵ８の動作（メインルーチン）を示すフローチャートである。
【図１１】本実施形態による液晶表示照明装置のＣＰＵ８の動作（選択エリア判定のサブルーチン）を示すフローチャートである。
【発明を実施するための形態】
【００１６】
以下、図面などを参照しながら、本発明の実施の形態をあげて、さらに詳しく説明する。図１は、本発明の実施形態による液晶表示照明装置を組み込んだ一眼レフカメラの構造を概念的に説明する図である。このカメラ１は、図１に示すように、被写体の像をフィルム上に結像させる撮影レンズ２と、撮影レンズ２からの光路を切り換える光跳ね上げ式の反射ミラー３と、フィルムに共役な面に配置されるスクリーン４と、このスクリーン４に近接して配置される高分子分散型液晶の表示パネル１０と、スクリーン４及び表示パネル１０を透過した光を観察のために曲げるペンタプリズム５と、スクリーン４上に投影された像を観察する接眼レンズ６等とを備えている。ここで、表示パネル１０は、ホルダ２０により保持されてカメラに固定されている。
【００１７】
また、このカメラ１は、表示装置として、表示パネル１０のほかに、ＬＥＤ等からなる光源３０と、光源３０からの光を表示パネル１０の端面１０ａに導く光ガイド装置４０と、表示パネル１０を駆動する駆動回路７と、ＣＰＵ８と、表示パネル１０のセグメントを選択するためのセレクタ５０等とを備えている。
【００１８】
表示パネル１０は、後述する図４に示すように、セグメント１０１〜１０５の５つのセグメントを備え、セレクタ５０により、セグメント１０１〜１０５の１つが選択される。また、表示パネル１０は、セグメント１０１〜１０５以外のバックグランド（背景領域、すなわち、大半の面積を占め、スクリーン４上に投影された像をそのまま透過させる部分）にもセグメントであり、常時、透明となるように駆動されている。なお、表示パネル１０上では、実際に接眼レンズ６を通して観察する場合に対して、ペンタプリズム５で左右反転していないので、左セグメント１０４と右セグメント１０５の位置は反転している。
【００１９】
セレクタ５０は、例えば、図８に示すように、４つのスイッチ５１〜５４から構成されて、上下左右４方向に押し込まれたことを検出するフォーカスエリアセレクタ５０１を使用することができる。図９は、図８に示したフォーカスエリアセレクタ５０１によって、中央のセグメント１０１が選択された状態を示したものである。
【００２０】
ＣＰＵ８は、図示を省略するＡＥ装置やＡＦ装置等からの信号に基づいて、カメラ１の動作を統括的に制御する中央処理装置であり、この実施形態では、さらに、セレクタ５０からの信号に基づいて、駆動回路７を介して、表示パネル１０の表示状態を制御する。駆動回路７は、ＣＰＵ８からの指示に基づいて動作する回路である。
【００２１】
図１に示すカメラ１は、以上説明した構成のように、表示パネル１０をスクリーン４に近接して配置したので、撮影レンズ２によってスクリーン４に結像した像光は、この表示パネル１０のバックグランド（背景領域）をそのまま通過する。また、表示パネル１０のバックグランド以外の部分（つまり、表示セグメント１０１から１０５の部分）のいずれかが拡散状態になったときは、この部分に入射する光は拡散され、全ての方向に散乱されることから、目の方向に進む光は、ごく一部となる。したがって、この部分の光量が下がって表示される部分がバックグランドに比べて暗くなる。つまり、この表示パネル１０によって、背景と表示パターンとが、光学的にスーパーインポーズされることになる。
【００２２】
また、スクリーン４に十分な光が到達しない場合には、光源３０を点灯して、表示パネル１０の端面１０ａから適当な光量の照明光を入射させることにより、暗い背景中に明るい表示パターンをスーパーインポーズして表示させることができる。この場合には、表示されるセグメント（セグメント１０１から１０５のいずれか）の部分で光が拡散されるので、照明光の一部が観測者の目の方向にも拡散されることになり、表示されるセグメントが明るく見える。ただし、被写体の輝度が十分に明るい場合には、光源３０を点灯して照明光を表示パネル１０の端面１０ａから入射させても、照明光が被写体の輝度と比較して暗すぎるために、明るい表示パターンとはならずに、明るい背景に暗い表示パターンがスーパーインポーズされる。
【００２３】
図２は、本実施形態による一眼レフカメラ１を示す斜視図、図３は、ペンタプリズム５を光軸に直交する面でそのほぼ中央を切断した斜視図である。ペンタプリズム５の右側には、不図示のパトローネを装填する後ボディ１０００のパトローネ室１００１が配置され、左側には、ミラー駆動機構や内蔵ストロボ用の電装基板やコンデンサやＤＣ−ＤＣコンバータ等の内蔵部品４０００が配置される。前ボディ２０００は、撮影レンズ２の鏡筒後端に配設される不図示のレンズマウントと結合するバヨネットマウント３０００や、後述するファインダユニットを装着する部分である。
【００２４】
次に、本実施形態によるファインダユニットと一体化した液晶表示照明装置の細部の構造を説明する。図４は、図１の光源３０からの光を表示パネル１０の端面１０ａに導く光ガイド装置４０とその保持構造を示す斜視図、図５は、ペンタプリズム５を光軸に直交する面でそのほぼ中央を切断して示す断面図、図６は、図５におけるライトガイド４０１周辺の拡大図、図７は、図５におけるライトガイド４０２周辺の拡大図である。なお、図１〜図７においては、同一の部材には同一の番号を付している。
【００２５】
図１に示したホルダ２０は、図４，５に示すように、下ホルダ２０１と上ホルダ２０２の２部材から構成され、表示パネル１０を挟み込んで保持している。上下ホルダ２０１，２０２の間に表示パネル１０が確実に挟み込まれて固定されるように、押しつけ部材２０３（図５，図６，図７）が上ホルダ２０２と表示パネル１０との間に挿入されている。この押しつけ部材２０３は、ゴムやネオプレン（登録商標）スポンジや植毛紙のような弾性体からなり、表示パネル１０の上下方向の位置を固定するとともに、その表示平面方向の位置も動かないように固定する。下ホルダ２０１と上ホルダ２０２とは、ほぼ箱形状をしており、上ホルダ２０２が下ホルダ２０１内に入り込めるようになっている。
【００２６】
図１に示した表示パネル１０は、上ガラス１０６と下ガラス１０７から構成され、この上下２つのガラス１０６，１０７の間に、液晶材を封入して表示を行うように構成している。さらに、下ガラス１０７には、図４に示すように、複数の電極１０７ａが配置されており、その部分は、上ガラス１０６が短くなっている。そして、これらの電極１０７ａは、表示パネル１０のセグメント１０１から１０５及びバックグランドに接続されて、これらのセグメントの表示状態を制御する電力を供給する。
【００２７】
図１に示した光ガイド装置４０は、左右２つのライトガイド４０１，４０２から構成されており、表示パネル１０の撮影レンズ２の光軸と平行な方向の端面の近傍に配置されている。従って、ライトガイド４０１，４０２の出射面４０１ｄ，４０２ｄから出射した光は、表示パネル１０の撮影レンズ２の光軸と平行な方向の端面から入射される。ライトガイド４０１は、透明のポリカーボネートやアクリルからなり、導光部の両端面に相当する光の反射する端面４０１ａ，４０１ｂは放物線面形状となっている。反射面４０１ｃは、アルミニウムや銀等の反射率の高い金属で蒸着されるのが好ましいが、ライトガイド４０１の屈折率の値がポリカーボネートのように比較的大きい材料では、平行光に近い光束は反射しやすいので、費用対効果を考慮すると、必ずしも蒸着を必要としない。
【００２８】
なお、この反射面４０１ｃを設けたために、ライトガイド４０１が下ホルダ２０１の横方向の幅寸法内に収まっている。この反射面４０１ｃがないと、図５の反射面４０１ｃより上側の寸法分だけライトガイド４０１が反射面４０１ｃから図５の左側に突出するので、下ホルダ２０１から突出してしまう。また、ライトガイド４０１には、図４に示すように、入射光の射出面４０１ｄが形成されている。この射出面４０１ｄの部分のライトガイド４０１の厚さは、表示パネル１０の厚さとほぼ同一となっている。
【００２９】
ライトガイド４０２は、ライトガイド４０１と同様に、透明のポリカーボネートやアクリルからなり、導光部の両端面に相当する光の反射する端面４０２ａ，４０２ｂは放物線面形状となっている。反射面４０２ｃは、アルミニウムや銀等の反射率の高い金属で蒸着されるのが好ましいが、ライトガイド４０２の屈折率の値がポリカーボネートのように比較的大きい材料では平行光に近い光束は反射しやすいので、費用対効果を考慮すると、必ずしも蒸着を必要としない。
【００３０】
なお、この反射面４０２ｃを設けたために、ライトガイド４０２が下ホルダ２０１の横方向寸法内に収まっている。この反射面４０２ｃがないと、図５の反射面４０２ｃより上側の寸法分だけライトガイド４０２が反射面４０２ｃから図５の右側に突出するので、下ホルダ２０１から突出してしまう。なお、４０２ｄは入射光の射出面である。
【００３１】
また、ライトガイド４０２には、図５，図７に示すように、射出面４０２ｄの部分が反射面４０２ｃの図５，図７の上下方向の長さとほぼ同一となっている。ただし、後述のように、ゼブラゴム１１０を用いて下ガラス１０７の電極１０７ａとフレキシブルプリント板１２０との接続を可能とするために、ゼブラゴム１１０を配置する部分の上ガラス１０６を切り欠いている。こうした構造のために、ライトガイド４０２の射出面４０２ｄの実質的な射出部分の寸法は、表示パネル１０の下ガラス１０７の厚さとほぼ同一となる。
【００３２】
図１に示した光源３０は、２個のＬＥＤ３０１とその駆動回路（不図示）とから構成されている。そして、この２個のＬＥＤ３０１は、その発光部分がライトガイド４０１，４０２のそれぞれの放物線面形状４０１ａ，ｂ、４０２ａ，ｂの焦点位置となるように、それぞれの切り欠き部４０１ｅ，４０２ｅ（図５）に入り込むような配置となるように、フレキシブルプリント板１２０に実装されている（図６，図７）。
【００３３】
このように、２個のＬＥＤ３０１の発光部分がライトガイド４０１，４０２のそれぞれの放物線面形状４０１ａ，ｂ、４０２ａ，ｂの焦点位置となるように、それぞれの切り欠き部４０１ｅ，４０２ｅに入り込むよう配置されると、放物線面鏡の原理に基づいて、ＬＥＤ光は、それぞれのライトガイド４０１，４０２の端面４０１ｄ，４０２ｄに垂直な平行光となって出力される。そのため、放物線面鏡の原理に基づいた均一な明るい光がライトガイド４０１，４０２の端面４０１ｄ，４０２ｄから出力されることになる。したがって、ライトガイド４０１，４０２に対して、それぞれ１個ずつのＬＥＤを配置するだけで、ライトガイド４０１，４０２の端面４０１ｄ，４０２ｄの実質的な幅、すなわちライトガイド４０１では、表示パネル１０の厚さ、ライトガイド４０２では、下ガラス１０７の厚さの範囲内で明るく均一な照明ができる。このため、フォーカスエリア１０１〜１０５のいずれに対しても、明るく均一な照明をすることができる。
【００３４】
なお、ライトガイド４０２の射出面４０２ｄの実質的な射出寸法は、ライトガイド４０１の射出面４０１ｄの射出寸法の約１／２となる。このため、表示パネル１０に入射するＬＥＤ光の量は、ＬＥＤ光がライトガイド内に入射する部分の寸法で決定されるが、寸法大のほうが寸法小よりも多くなる。しかし、本発明のように、ライトガイド４０１，４０２の光の反射する端面４０１ａ，ｂ、４０２ａ，ｂが放物線面形状となっていると、放物線面鏡の原理により、ライトガイド４０１，４０２の射出面４０１ｄ，４０２ｄの実質的な射出部から出てくる光は、遠くまで到達するので、若干の光量の差は、セグメント１０１〜１０５の照明される明るさにはほとんど影響しない。また、同様の理由で、２個のＬＥＤ３０１の輝度差が数倍程度あっても、セグメント１０１〜１０５の照明される明るさにはほとんど影響しない。
【００３５】
一方、液晶層内にＬＥＤ光が入射したときに、液晶層内の透明部であっても、若干の散乱度を有するので、ＬＥＤ光が液晶層の透明部を通過すると、背景が暗い場合には、透明部がＬＥＤ光により光ってしまう。そこで、表示パネル１０の端面１０ａと、ライトガイド４０１との間に、図５，図６に示すように、偏光板９１を挿入して、液晶層の透明部でＬＥＤの光が表示パネル１０の表示面へ出て行きにくい構造としている。これにより、表示パネル１０の透明部が光ってしまう現象が大幅に低減される。
【００３６】
なお、偏光板９１の挿入により、２個のＬＥＤ３０１の光量は低下してしまうが、上述したように、ライトガイド４０１の反射面４０１ａ，４０１ｂが放物線面となって、ＬＥＤ３０１の光量が有効に使われるために、偏光板９１の挿入による光量低下の影響はない。
【００３７】
また、ライトガイド４０１，４０２の射出面４０１ｄ，４０２ｄの実質的な射出部の厚さの差がセグメント１０１〜１０５の照明される明るさに、若干の影響があるために、ライトガイド４０２と表示パネル１０との間には、偏光板９２を挿入していない。このため、ライトガイド４０２から出力されるＬＥＤ光は、減衰せずに表示パネル１０内に入射する。一方、ライトガイド４０１側から出力される大光量が減衰した光量とより近づいて、セグメント１０１〜１０５の照明される明るさは、ほぼ均一の明るさになる。
【００３８】
さらに、表示パネル１０の別の２箇所の端面１０ｂ（図４）には、黒色の墨み塗り（遮光部）がなされている。これにより、ＬＥＤ３０１の光が液晶層での散乱により、表示パネル１０の端面１０ｂに到達しても、ここで反射されずに吸収されるので、やはり表示パネル１０の透明部が光ってしまう現象が大幅に低減される。
【００３９】
表示パネル１０の下ガラス１０７には、電極１０７ａが設けられており、セグメント１０１〜１０５の透明状態と拡散状態との切替、及び、セグメント１０１〜１０５以外のバックグランドの透明状態の保持のために、図１のＣＰＵ８へ接続するためにゼブラゴム１１０を介して、電極１０７ａとフレキシブルプリント板１２０と電気的に接続されているる。さらに、２個のＬＥＤ３０１も不図示の駆動回路とから光源３０を構成し、図１のＣＰＵ８へフレキシブルプリント基板１２０を介して電気的に接続されている。以上のように構成されたファインダユニットは、前ボディ２０００に、はめ込まれて、不図示のネジで固定される。
【００４０】
次に、本実施形態による液晶表示照明装置の動作について簡単に説明する。図１０，１１は、本実施形態による液晶表示照明装置のＣＰＵ８の動作を示すフローチャートである。電池が装填されると動作を開始しＳ１が実行される。Ｓ１では、パラメータＡに０を入れる。このパラメータＡは、選択されたセグメントを示すものであり、０が中央、１が右、２が左、３が上、４が下を示す。前述したように、カメラに電池を最初に装填したときには、駆動回路７は、中央セグメント１０１を拡散状態とするためにパラメータＡに０を入れる。
【００４１】
Ｓ２では、フォーカスエリアセレクタ５０１が上下左右のいずれの方向に押されたかを判定する。詳細は、図１１を用いて説明する。図１１において、Ｓ２０１では、フラグＦに１を入れる。このフラグＦは、フォーカスエリアセレクタ５０１が上下左右のいずれの方向にも押されない場合に０が入れられ、フォーカスエリアセレクタ５０１が操作されたか否かを示すものである。
【００４２】
Ｓ２０２〜Ｓ２０８では、スイッチ５１が押された場合に、その前にどのセグメントが拡散状態であったかにより、次にどのセグメントを拡散状態にするかを決定する。現状で中央、上、下のセグメントのいずれかが拡散状態の場合（Ａが０又は３又は４）には、右のセグメントが拡散状態になるように、Ａに１を入れる。現状で左のセグメントが拡散状態の場合（Ａ＝２）には、中央のセグメントが拡散状態になるように、Ａに０を入れる。現状で右のセグメントが拡散状態の場合（Ａ＝１）には、右セグメントの拡散状態を保持すればよいので、パラメータＡの値を変更しない。
【００４３】
Ｓ２０９〜Ｓ２１５では、上記と同様に、左側への変更処理を行なう。Ｓ２１６〜Ｓ２２２では、上記と同様に、上側への変更処理を行なう。Ｓ２２３〜Ｓ２２９では、上記と同様に、下側への変更処理を行なう。
【００４４】
Ｓ２３０では、スイッチ５１〜５４のいずれも押されず、フォーカスエリアセレクタ５０１が操作されない場合には、フラグＦに０を入れる。以上を終了すると、図１０のＳ３へ戻る。
【００４５】
図１０において、Ｓ３では、フラグＦの判定を行なう。Ｆ＝０の場合は、フォーカスエリアセレクタ５０１が操作されていないのでＳ２へ戻る。Ｆ＝１の場合は、フォーカスエリアセレクタ５０１が操作されたのでＳ４へ進む。
【００４６】
Ｓ４では、上述したＳ２によって選択されたセグメントを、表示パネル１０に拡散状態で表示するように駆動回路７に、更新信号を出力する。これを受けた駆動回路７は、表示パネル１０上の現在拡散状態のセグメントを、透過状態にするとともに、選択セグメントを拡散状態にする信号を出力する。
【００４７】
Ｓ５では、光源３０の不図示の駆動回路により、２個のＬＥＤ３０１を所定時間（約３００ｍｓｅｃ）だけ発光して、表示パネル１０の拡散状態のセグメントを明るく照明して、前述したＳ２へ戻る。
【００４８】
以上説明したように、本実施形態によれば、照明用のＬＥＤ３０１から表示パネル１０に光を導く光ガイド装置４０に、ライトガイド４０１，４０２を備えている。このライトガイド４０１，４０２は、その反射面４０１ａ，４０２ａが放物線面形状をしており、ほぼその焦点位置４０１ｂ，４０２ｂに、ＬＥＤ３０１が配置されている。このため、表示パネル１０によって選択された拡散状態のセグメントがいずれの位置であっても、明るく均一に照明することができる。
【００４９】
また、ライトガイド４０１，４０２のそれぞれに反射面４０１ｃ，４０２ｃを設けて光学系を折り曲げている。このため、下ホルダ２０１の横幅内に、ライトガイド４０１，４０２を配置でき、しかも、ファインダユニットとして組み込むことができた。もし、ライトガイド４０１，４０２の反射面４０１ｃ，４０２ｃを設けない場合には、それを伸ばした場合と同じだけの光路長が必要となるので、それだけ横方向に突出するため、下ホルダ２０１からその横部分の厚さを減少した寸法だけそれぞれ左右に突出してしまうことになる。これでは、前ボディ２０００の横方向の寸法よりも大となるので、カメラの横方向の寸法が大きくなってしまい、カメラが大型化するだけでなく、ファインダユニットとして前ボディ２０００に上方向から挿入すらできなくなって組み込み性も悪くなってしまうことになる。
【００５０】
以上説明した実施形態に限定されることなく、種々の変形や変更が可能であって、それらも本発明の範囲内である。本実施形態では、ライトガイドの形状が放物線面となっていたが、これに限定することなく、ライトガイド内の光が放物線面で反射されるようになっていれば、上述した効果が発揮される。
【００５１】
また、表示パネル１０用の液晶として、高分子分散型液晶を例としたが、これに限らず、光散乱タイプの液晶であればよく、例えば、最近実用化されたポリマーネットワーク型液晶であってもよい。
【符号の説明】
【００５２】
１  カメラ，２  撮影レンズ，３  反射ミラー，４  スクリーン，５  ペンタプリズム，６  接眼レンズ，７  駆動回路，８  ＣＰＵ，９  測光素子，１０  表示パネル，２０  ホルダ，３０  光源，４０  光ガイド装置，５０  セレクタ，５１〜５４  スイッチ，９１  偏光板，１０１〜１０５  セグメント，１０６  上ガラス，１０７  下ガラス，１０７ａ  電極，３０１  ＬＥＤ，４０１，４０２  ライトガイド，４０１ａ，４０２ａ  端面，４０１ｂ，４０２ｂ  焦点位置，４０１ｃ，４０２ｃ  端面，４０１ｄ，４０２ｄ  反射面，１１０  ゼブラゴム，１２０  フレキシブルプリント板，５０１  フォーカスエリアセレクタ
【図１】
2011014544.tif 000003
【図２】
2011014544.tif 000004
【図３】
2011014544.tif 000005
【図４】
2011014544.tif 000006
【図５】
2011014544.tif 000007
【図６】
2011014544.tif 000008
【図７】
2011014544.tif 000009
【図８】
2011014544.tif 000010
【図９】
2011014544.tif 000011
【図１０】
2011014544.tif 000012
【図１１】
2011014544.tif 000013